(57)【要約】      （修正有）【課題】Ｏリングなどの樹脂製部材で構成された防水リングを不要にできる時計ケースを提供する。【解決手段】時計ケース２０は、金属ガラスで構成されたケース本体２１と、ケース本体と一体で形成され、可撓性を有するボタン部４１と、を備える。【選択図】図１
2020064039.tif 000002
【特許請求の範囲】
【請求項１】
金属ガラスで構成されたケース本体と、
前記ケース本体と一体で形成され、可撓性を有するボタン部と、
を備える
ことを特徴とする時計ケース。
【請求項２】
請求項１に記載の時計ケースにおいて、
前記金属ガラスは、弾性率が３０ＧＰａ以上１４０ＧＰａ以下、弾性限が２％以上２０％以下である
ことを特徴とする時計ケース。
【請求項３】
請求項１または請求項２に記載の時計ケースにおいて、
前記ケース本体には、内周面から凹んだ凹部が形成され、
前記凹部には、前記ボタン部の操作に連動して移動するボタン軸部が配置されている
ことを特徴とする時計ケース。
【請求項４】
請求項３に記載の時計ケースにおいて、
前記凹部の内周面に取り付けられ、前記ボタン軸部をガイドするガイドパイプと、
前記ガイドパイプおよび前記ボタン軸部間に配置されて、前記ガイドパイプに対して前記ボタン軸部を前記ボタン部側に付勢する戻しバネと、を備える
ことを特徴とする時計ケース。
【請求項５】
請求項１または請求項２に記載の時計ケースにおいて、
前記ケース本体には、内周面から凹んだ凹部が形成され、
前記ボタン部は、前記凹部内に配置されるボタン軸部が一体に形成されている
ことを特徴とする時計ケース。
【請求項６】
請求項５に記載の時計ケースにおいて、
前記ケース本体には、前記ボタン軸部をガイドするガイド部材が設けられている
ことを特徴とする時計ケース。
【請求項７】
請求項１または請求項２に記載の時計ケースにおいて、
前記ボタン部は、前記ケース本体の外周面から凹んだ形状に形成される
ことを特徴とする時計ケース。
【請求項８】
金属ガラスで構成されたケース本体、および、前記ケース本体と一体で形成されて可撓性を有するボタン部を備える時計ケースと、
前記ボタン部の動作により動作機能が選択され、前記時計ケース内に収納されるムーブメントと、を備える
ことを特徴する時計。
【請求項９】
請求項８に記載の時計において、
前記ケース本体には、内周面から凹んだ凹部が形成され、
前記凹部には、前記ボタン部の操作に連動して移動するボタン軸部が配置され、
前記ボタン軸部は、前記時計ケースまたは前記ムーブメントに設けられている
ことを特徴とする時計。
【請求項１０】
請求項８に記載の時計において、
前記ケース本体と前記ムーブメントとの間に配置され、前記ムーブメントを前記ケース本体に固定する中枠を備え、
前記中枠には、前記ケース本体側と前記ムーブメント側とを連通する連通部が形成され、
前記連通部には、前記ボタン部の操作に連動して移動するボタン軸部が配置されている
ことを特徴とする時計。
【請求項１１】
請求項８に記載の時計において、
前記ボタン部は、前記ケース本体の外周面から凹んだ形状に形成される
ことを特徴とする時計。
【請求項１２】
金属ガラスで構成されたケース本体、および、前記ケース本体と一体で形成され作用する圧力に応じて変形するダイアフラム部を備える時計ケースと、
前記ダイアフラム部に作用する圧力を検出する検出部と、を備える
ことを特徴とする時計。
【発明の詳細な説明】
【技術分野】
【０００１】
本発明は、時計ケースおよび時計に関する。
【背景技術】
【０００２】
特許文献１には、時計ケースの側面に貫通孔を設け、この貫通孔内に筒状部材を配置し、筒状部材内にボタンの軸部を挿入したスイッチ装置が開示されている。このスイッチ装置は、時計ケースの防水性を確保するため、ボタンの軸部の外周に複数の防水リングを設け、筒状部材と軸部との間を防水している。
【先行技術文献】
【特許文献】
【０００３】
【特許文献１】特開２０１７−７８６５４号公報
【発明の概要】
【発明が解決しようとする課題】
【０００４】
特許文献１の防水構造では、防水リングは、Ｏリングなどの樹脂製部材で構成されるため、経年劣化が生じる。このため、防水リングの経年劣化に対して防水性を維持するためには、防水リングの交換が必要であった。
【課題を解決するための手段】
【０００５】
本開示の時計ケースは、金属ガラスで構成されたケース本体と、前記ケース本体と一体で形成され、可撓性を有するボタン部と、を備える。
【０００６】
本開示の時計ケースにおいて、前記金属ガラスは、弾性率が３０ＧＰａ以上１４０ＧＰａ以下、弾性限が２％以上２０％以下であることが好ましい。
【０００７】
本開示の時計ケースにおいて、前記ケース本体には、内周面から凹んだ凹部が形成され、前記凹部には、前記ボタン部の操作に連動して移動するボタン軸部が配置されていてもよい。
【０００８】
本開示の時計ケースにおいて、前記凹部の内周面に取り付けられ、前記ボタン軸部をガイドするガイドパイプと、前記ガイドパイプおよび前記ボタン軸部間に配置されて、前記ガイドパイプに対して前記ボタン軸部を前記ボタン部側に付勢する戻しバネと、を備えていてもよい。
【０００９】
本開示の時計ケースにおいて、前記ケース本体には、内周面から凹んだ凹部が形成され、前記ボタン部は、前記凹部内に配置されるボタン軸部が一体に形成されていてもよい。
【００１０】
本開示の時計ケースにおいて、前記ケース本体には、前記ボタン軸部をガイドするガイド部材が設けられていてもよい。
【００１１】
本開示の時計ケースにおいて、前記ボタン部は、前記ケース本体の外周面から凹んだ形状に形成されていてもよい。
【００１２】
本開示の時計は、金属ガラスで構成されたケース本体、および、前記ケース本体と一体で形成されて可撓性を有するボタン部を備える時計ケースと、前記ボタン部の動作により動作機能が選択され、前記時計ケース内に収納されるムーブメントと、を備える。
【００１３】
本開示の時計において、前記ケース本体には、内周面から凹んだ凹部が形成され、前記凹部には、前記ボタン部の操作に連動して移動するボタン軸部が配置され、前記ボタン軸部は、前記時計ケースまたは前記ムーブメントに設けられていてもよい。
【００１４】
本開示の時計において、前記ケース本体と前記ムーブメントとの間に配置され、前記ムーブメントを前記ケース本体に固定する中枠を備え、前記中枠には、前記ケース本体側と前記ムーブメント側とを連通する連通部が形成され、前記連通部には、前記ボタン部の操作に連動して移動するボタン軸部が配置されていてもよい。
【００１５】
本開示の時計において、前記ボタン部は、前記ケース本体の外周面から凹んだ形状に形成されていてもよい。
【００１６】
本開示の時計は、金属ガラスで構成されたケース本体、および、前記ケース本体と一体で形成され作用する圧力に応じて変形するダイアフラム部を備える時計ケースと、前記ダイアフラム部に作用する圧力を検出する検出部と、を備える。
【図面の簡単な説明】
【００１７】
【図１】第１実施形態の時計を示す概略斜視図である。
【図２】第１実施形態の時計ケースの要部を示す断面図である。
【図３】第２実施形態の時計ケースの要部を示す断面図である。
【図４】第２実施形態の変形例の要部を示す断面図である。
【図５】第３実施形態の時計ケースの要部を示す断面図である。
【図６】第４実施形態の時計ケースの要部を示す断面図である。
【図７】第５実施形態の時計ケースの要部を示す断面図である。
【図８】第６実施形態の時計ケースの要部を示す断面図である。
【図９】変形例の時計を示す概略斜視図である。
【発明を実施するための形態】
【００１８】
［第１実施形態］
第１実施形態の時計１について、図１、２を参照して説明する。時計１は、時計用外装部品１０を備え、時計用外装部品１０は、時計ケース２０と、時計バンド３０とを有する。
時計ケース２０は、ムーブメント２５を収納するケースである。時計ケース２０内に収納されるムーブメント２５は、水晶振動子、電池、モーター、輪列、指針などを備える水晶式ムーブメントでもよいし、ぜんまい、がんき車、アンクル、輪列、指針などを備える機械式ムーブメントでもよい。さらに、時計ケース２０には、指針を備えないデジタル表示装置を収納してもよい。
【００１９】
時計ケース２０は、略リング状に形成されたケース本体２１を備え、弾性率が３０ＧＰａ以上１４０ＧＰａ以下、弾性限が２％以上２０％以下の金属ガラスで一体に構成されている。
時計バンド３０は、時計ケース２０とは別体に構成され、時計ケース２０の１２時側に取り付けられる第１バンド３１と、時計ケース２０の６時側に取り付けられる第２バンド３２とを備えている。
したがって、時計用外装部品１０は、ケース本体２１と、ケース本体２１とは別体の第１バンド３１および第２バンド３２とを備えて構成されている。
【００２０】
時計ケース２０を構成する金属ガラスとしては、Ｐｔ、Ａｕ、Ｔｉ、Ｍｇ、Ｐｄ、Ｚｒをベースにした金属ガラスを利用できる。具体的には、Ｚｒ５５Ａｌ１０Ｎｉ５Ｃｕ３０、Ｍｇ６５Ｃｕ２５Ａｌ１０、Ｐｔ６０Ｃｕ１８Ｐ２２、Ａｕ６５Ｃｕ１５．５Ａｇ７．５Ｓｉ１７、Ｔｉ４３Ｚｒ２Ｈｆ５Ｃｕ４２Ｎｉ７Ｓｉ１（ａｔｍ％）を組成とする金属ガラスを利用できる。
【００２１】
時計ケース２０を構成する金属ガラスの材料特性を例示すると、前述のとおり、弾性率が３０ＧＰａ以上１４０ＧＰａ以下、弾性限が２％以上２０％以下の特性を有することが好ましい。また、金属ガラスは、硬度がＨｖ３００以上Ｈｖ５００以下の範囲の特性を有することが好ましい。さらに、時計ケース２０の厚さ寸法は、時計ケース２０が必要とする強度等に応じて設定される。すなわち、時計ケース２０は、ムーブメント２５を収納して保持できる強度を確保できる厚さ寸法に設定されている。
【００２２】
金属ガラス製の時計ケース２０において、弾性率が３０ＧＰａを下回った場合、時計ケース２０が弾性変形しやすくなり、時計ケース２０の厚さ寸法を大きくする必要があり、重量が増大する。また、弾性率が１４０ＧＰａを上回った場合、後述するボタン部４１の可撓性が低下し、ボタン部４１が変形し難くなる。このため、時計ケース２０を構成する金属ガラスの弾性率は３０ＧＰａ以上１４０ＧＰａ以下であることが好ましい。
【００２３】
時計ケース２０を構成する金属ガラスの弾性限が２％を下回った場合は、結晶性金属と同様に、使用中に時計ケース２０に力が加わった場合などに時計ケース２０が破損する可能性がある。また、時計ケース２０に大きな力が加わって変形した場合、塑性変形が生じ、元に戻らない場合がある。
弾性限が２０％を上回った場合は、弾性域が大きくなり鍛造、プレスなどの塑性加工を行うことが困難になる。例えば、通常の結晶金属と同じように押し込んでもスプリングバックで元の形状に戻り、加工負荷が上がることに加えて、塑性加工による寸法精度も出なくなる。
一方、弾性限が２％以上２０％以下であれば、時計ケース２０の使用中の破損や変形が生じにくくなり、かつ、成形加工時の負荷の増加や寸法精度の低下などを防止できる。
【００２４】
時計ケース２０の硬度がＨｖ３００を下回った場合、使用中に時計ケース２０が傷つきやすい。硬度がＨｖ５００を上回った場合、時計ケース２０の加工が困難となり、加飾性が低下する。このため、時計ケース２０に施すことができる加飾要素が制限される。
一方、硬度がＨｖ３００以上Ｈｖ５００以下であれば、時計ケース２０が傷つくことを防止でき、かつ、加飾性を向上できて加飾要素の制限も少なくできる。
【００２５】
金属ガラス製の時計ケース２０は、金型を用いた成形加工により成形できる。金型を用いた成形加工としては、射出成形加工および鋳造加工と、過冷却液体状態を用いた加工方法とが利用できる。過冷却液体状態を用いた加工方法としては、鍛造加工、引き抜き成形加工、押出し成形加工、プレス加工等が挙げられる。金属ガラスは高転写性を有するため、時計ケース２０を加工成形する際に、時計ケース表面の装飾等も金型に形成しておくことで、表面加飾も同時に加工できる。さらに、金属ガラス製の時計ケース２０は、３Ｄプリンターによって成形することもできる。
【００２６】
図２に示すように、時計ケース２０のケース本体２１内には、文字板２２と、ムーブメント２５とが配置される。また、ケース本体２１の表面側の開口には、カバーガラス２３が取り付けられ、ケース本体２１の裏面側の開口には、裏蓋２４が取り付けられる。
ムーブメント２５には、後述する操作ボタン４０で操作されるスイッチバネ２６と、スイッチバネ２６が接触することで、ボタン入力を検出する検出電極２７とが設けられている。
時計１を組み立てる場合、ケース本体２１にカバーガラス２３を取り付けておき、裏面側の開口からケース本体２１内に、文字板２２およびムーブメント２５を挿入し、裏蓋２４を取り付けることで時計１が完成する。
【００２７】
時計バンド３０は、図１に示すように、第１バンド３１および第２バンド３２を備える。第１バンド３１および第２バンド３２は、それぞれが金属ガラスで構成された単一の部品で構成されている。第１バンド３１および第２バンド３２を構成する金属ガラスは、時計ケース２０を構成する金属ガラスと同様のものが利用できる。ただし、第１バンド３１および第２バンド３２は、利用者の手首に装着する際に手首に沿ってしなやかに変形することが好ましいため、弾性率の上限は時計ケース２０に用いられる金属ガラスに比べて低く設定されている。このため、第１バンド３１用および第２バンド３２用の金属ガラスは、弾性率が３０ＧＰａ以上７０ＧＰａ以下のものが用いられている。第１バンド３１用および第２バンド３２用の金属ガラスのその他の特性、例えば、弾性限や硬度は、時計ケース２０用の金属ガラスと同様である。
【００２８】
第１バンド３１および第２バンド３２は、各バンド３１、３２の長手方向に沿って湾曲されている。すなわち、第１バンド３１および第２バンド３２は、時計ケース２０に取り付けられる基端部３１１、３２１と、基端部３１１、３２１の反対側の端部である先端部３１２、３２２と、基端部３１１、３２１および先端部３１２、３２２間に設けられる中間部３１３、３２３とを有する。中間部３１３、３２３は、基端部３１１、３２１から先端部３１２、３２２に向かって湾曲して形成されている。
このため、時計ケース２０と、第１バンド３１および第２バンド３２とは、図１に示すように、時計１を側面から見た際に、略Ｃ字状となるように形成されている。
この際、第１バンド３１および第２バンド３２の長さ寸法は、女性や子供のように手首が細いユーザーが時計バンド３０を装着した場合でも、第１バンド３１および第２バンド３２が撓んで広がり、先端部３１２、３２２間に隙間が生じるように設定されている。このため、手首が太いユーザーが時計バンド３０を装着した場合は、各バンド３１、３２がさらに撓んで広がり、先端部３１２、３２２間の隙間も広くなる。このように装着時に第１バンド３１および第２バンド３２が手首に沿って弾性変形して撓み、元の形状に戻ろうとする弾性力で第１バンド３１および第２バンド３２は手首に密着し、時計１は安定して手首に装着される。
【００２９】
なお、第１バンド３１および第２バンド３２の基端部３１１、３２１には、図示を略すが、バネ棒が挿通される貫通孔が形成されている。このため、第１バンド３１および第２バンド３２は、時計ケース２０に形成されたカン２９にバネ棒を用いて装着でき、金属駒バンド、革バンド、樹脂バンド等と同様のバンド連結構造を採用できる。
【００３０】
次に、時計ケース２０に設けられる操作ボタン４０の構造について、図１、２を参照して説明する。図１に示すように、操作ボタン４０は、時計ケース２０において、文字板２２の略１０時方向の位置に設けられている。ただし、操作ボタン４０は、時計ケース２０の略２時、４時、８時などの他の位置に設けてもよいし、複数の位置に設けてもよい。
操作ボタン４０は、図２に示すように、ケース本体２１に一体に形成されるボタン部４１と、ケース本体２１内に配置されたボタンユニット５０とを備えて構成される。
ボタン部４１は、時計ケース２０のケース本体２１に一体に形成され、かつ、可撓性を有する構造とされている。すなわち、ボタン部４１は、金属ガラス製のケース本体２１と一体に成形され、かつ、可撓性を持たせるために、ケース本体２１に比べて厚さ寸法が小さい薄肉状に形成されている。
ボタン部４１は、図１、２に示すように、ケース本体２１の側面から突出する略円錐台状に形成されている。すなわち、ボタン部４１は、ケース本体２１に連続する側面部４２と、側面部４２に連続する略円板状の上面部４３とを備える。このため、時計１の利用者が上面部４３を押すと、側面部４２が弾性変形し、上面部４３はケース本体２１の内部に向かって移動する。なお、上面部４３の厚さを側面部４２より厚くすることでボタン部４１の剛性が増加し、クリック感や操作感を明確に感じることができる。
【００３１】
ケース本体２１には、ケース本体２１の内周面から凹んだ凹部２１０が形成されている。
凹部２１０内には、ボタン部４１に連動して移動するボタンユニット５０が搭載されている。ボタンユニット５０は、ガイドパイプ５１と、ボタン軸部材５２と、戻しバネ５３とで構成されている。
ガイドパイプ５１は、略円筒状の側面部５１１と、側面部５１１の一端側に連続して形成される底面部５１２とを備える。ガイドパイプ５１の底面部５１２の中心には貫通孔５１３が形成されている。このガイドパイプ５１は、凹部２１０に圧入して固定したり、接着剤などを用いて凹部２１０の内周面に取り付けることもできる。ただし、本実施形態では、ガイドパイプ５１の側面部５１１に雄ねじを形成し、この雄ねじを凹部２１０の内周面に形成した雌ねじにねじ込むことで、ガイドパイプ５１を凹部２１０に取り付けている。
ボタン軸部材５２は、ガイドパイプ５１の側面部５１１で案内されるガイド部５２１と、ガイド部５２１に比べて小径とされ、前記貫通孔５１３に挿通される軸部５２２とを備え、ガイドパイプ５１内を軸方向に移動可能に配置されている。なお、ボタン軸部材５２は、本開示のボタン軸部の一例である。
戻しバネ５３は、ガイドパイプ５１内において、ガイドパイプ５１の底面部５１２と、ボタン軸部材５２のガイド部５２１との間に配置されたコイルバネで構成されている。戻しバネ５３は、ガイドパイプ５１に対して、ボタン軸部材５２を、ボタン部４１の上面部４３に向かう方向に付勢している。このため、ボタン軸部材５２はボタン部４１の上面部４３に当接して設けられている。
【００３２】
ボタン軸部材５２の軸部５２２は、ムーブメント２５に設けられるスイッチバネ２６に対向して設けられている。また、ボタン部４１が押されていない状態では、ボタン軸部材５２は戻しバネ５３でボタン部４１側に付勢され、軸部５２２およびスイッチバネ２６間には所定寸法の隙間が設けられている。この隙間の寸法は、ボタン部４１を押した際にボタン軸部材５２が移動可能な移動量よりも小さく設定されている。
【００３３】
時計１の利用者が、時計ケース２０のボタン部４１を押すと、上面部４３に当接しているボタン軸部材５２に戻しバネ５３の付勢力よりも大きな力が加わり、ボタン軸部材５２はスイッチバネ２６に向かって移動する。そして、ボタン軸部材５２が前記隙間の寸法以上移動すると、軸部５２２がスイッチバネ２６に当接する。このため、スイッチバネ２６もムーブメント２５の内部側に移動し、ムーブメント２５に設けられた検出電極２７に接触し、時計１に設けられた制御装置は、ボタン部４１が押されたことを検出できる。すなわち、ムーブメント２５は、ボタン部４１の動作により動作機能が選択されるよう構成されている。具体的には、ムーブメント２５は、ボタン部４１が押されたことを検出した時間や回数によって、時刻修正や時間計測等の動作機能が選択されるよう構成されている。
時計１の利用者によるボタン部４１を押す動作が解除されると、ボタン軸部材５２は戻しバネ５３の付勢力でスイッチバネ２６から離れる方向に移動する。このため、スイッチバネ２６は検出電極２７から離れ、時計１の制御装置は、ボタン部４１の押し操作が解除されたことを検出できる。
また、戻しバネ５３は、ボタン軸部材５２を介して、ボタン部４１の上面部４３を時計ケース２０の外側に移動させ、ボタン部４１は、時計ケース２０から突出する元の状態に戻る。
【００３４】
［第１実施形態の効果］
時計ケース２０のケース本体２１に、可撓性を有するボタン部４１を一体に形成している。そして、ケース本体２１の内周面から凹んで形成される凹部２１０にボタンユニット５０が配置されているので、ボタン部４１から凹部２１０を介して水が浸入することを防止できる。このため、従来のように、Ｏリングなどの防水リングを設ける必要が無く、経年劣化で防水リングを交換する必要も無く、防水性を確保できる。
また、時計ケース２０は、金属ガラスで一体に形成されたケース本体２１およびボタン部４１で構成されているので、時計ケース２０の外観の統一感を向上でき、時計１の意匠も向上できる。その上、時計１は、金属ガラスで形成された時計ケース２０と、時計バンド３０とで構成されているので、時計１全体の外観の統一感も向上でき、時計１の意匠をさらに向上できる。
【００３５】
ボタン部４１は、ケース本体２１と一体の金属ガラスで形成し、金属ガラスは、強度が高いため、側面部４２の薄肉化が可能となり、ボタン部４１の可撓性を容易に確保できる。また、金属ガラスは、３０ＧＰａ以上１４０ＧＰａ以下と低弾性率であるため、上面部４３を押した際に、側面部４２はしなやかに弾性変形し、上面部４３の移動量および戻り量も大きくでき、可撓性を有するボタン部４１を容易に構成できる。
【００３６】
操作ボタン４０を、ボタン部４１と、ボタン軸部材５２を有するボタンユニット５０とで構成したので、時計ケース２０のサイズが異なる場合でも容易に対応できる。すなわち、男性用や女性用などのケースサイズが異なる時計ケース２０内に、同じ種類のムーブメント２５を収納した場合、ボタン部４１からスイッチバネ２６までの長さが異なる。このような場合でも、ボタンユニット５０を交換することで対応できる。特に、軸部５２２の長さ寸法が異なる複数種類のボタン軸部材５２を用意すれば、ガイドパイプ５１や戻しバネ５３は共通化できるので、低コストで様々なサイズの時計ケース２０に対応できる。
【００３７】
ボタン部４１およびスイッチバネ２６間にボタンユニット５０を配置しているので、ボタン部４１の上面部４３の厚さ寸法を側面部４２に合わせて小さくできる。このため、ボタン部４１の加工成形が容易となり、ケース本体２１を容易に製造できる。
【００３８】
ボタンユニット５０は、ボタン軸部材５２をボタン部４１側に付勢する戻しバネ５３を備え、ボタン部４１が押されていない初期状態では、軸部５２２とスイッチバネ２６との間に所定寸法の隙間が確保されるように設定した。このため、ボタンユニット５０を凹部２１０内に組み込んだ状態で、ムーブメント２５をケース本体２１内に挿入する際に、ボタンユニット５０とスイッチバネ２６とが干渉することを防止できる。したがって、ケース本体２１内にムーブメント２５を容易に配置でき、時計１の生産性を向上できる。
【００３９】
時計バンド３０を構成する第１バンド３１および第２バンド３２を、それぞれ金属ガラスで構成された単一の部品で形成しているので、金属駒タイプのバンドに比べて、フィット感を向上できる。すなわち、金属駒で構成されるバンドは、各駒の連結部分のみで折れ曲がるため、手首と時計バンドの各金属駒との間に隙間が生じやすく、手首に装着した際のフィット感に限界がある。これに対し、本実施形態の第１バンド３１および第２バンド３２は、３０ＧＰａ以上７０ＧＰａ以下の低弾性率の金属ガラスを用いているため、手首に時計１を装着した際に手首に沿ってしなやかに弾性変形し、フィット感を向上できる。さらに、金属駒バンドでは、金属駒の連結作業が必要であるため、生産性を向上することが難しいが、第１バンド３１および第２バンド３２はそれぞれ単一の部品であるため、金属駒バンドに比べて生産性を容易に向上できる。
第１バンド３１および第２バンド３２は、金属ガラスで構成されるため、革バンドや樹脂バンドに比べて耐久性、防水性を向上でき、金属感も得られる。
【００４０】
また、金属ガラスは、結晶性合金に比べても硬度を向上できるため、傷が付きにくい。このため、傷によって時計ケース２０や時計バンド３０の外観を損なうことも防止できる。例えば、Ｐｔ合金の硬度は、Ｈｖ５０以上Ｈｖ１００以下であるのに対し、Ｐｔをベースにした金属ガラスの硬度は、Ｈｖ４００以上Ｈｖ５００以下である。このため、金属ガラス製の時計ケース２０や時計バンド３０の硬度はＨｖ３００以上Ｈｖ５００以下と高いレベルに設定でき、弾性限も２％以上であるため、傷が付きにくく、使用中の破損や塑性変形も生じにくく、壊れにくい高強度の時計ケース２０や時計バンド３０を提供できる。
【００４１】
時計ケース２０や時計バンド３０は、金属ガラスの金型加工成形で製造できるため、装飾性に優れた時計ケースやバンドを形成できる。特に、金属ガラスは高転写性を有するため、金型に装飾用の模様を形成しておくことで、時計ケース２０や時計バンド３０の金型加工成形時に表面装飾加工も同時に行うことができ、生産性および加飾性を共に向上できる。例えば、時計ケース２０には、時差やタイムゾーンを表示する数字、文字や、指針で指示される目盛などを一体に形成することができる。時計バンド３０には、模様や装飾用の孔などを一体に形成することができる。
金属ガラスは、結晶性金属に比べて融点が低く、鋳造による製造も容易であるため、時計ケース２０や時計バンド３０の生産性を向上できる。
金属ガラスは、強度が高いため、時計ケース２０や時計バンド３０の薄肉化が可能となり、時計ケース２０や時計バンド３０を軽量化できる。
金属ガラスは、熱伝導率が低いため、手首に時計ケース２０や時計バンド３０を装着した際に、冷たく感じることが少ない。このため、時計１の装着者の冷覚を刺激して、装着者に不快感を与えることも防止できる。
金属ガラスは、弾性変形域が大きいため、しなやかさを備えており、傷が付きにくい。このため、時計１を落とした場合などに、時計ケース２０や時計バンド３０が傷付くことを防止できる。
【００４２】
金属ガラスは、凝固収縮が小さいため、鋳造による形状変化が小さく、高精度の鋳造が可能となる。
金属ガラスは、粘性が低い固体と液体の間の状態である過冷却液体状態にできるため、粘弾性加工が可能となる。すなわち、金属ガラスは、加熱によって過冷却液体の状態にできるため、加熱加工による高変形率加工が可能となり、ナノオーダーの高精度転写も実現できる。このため、時計ケース２０や時計バンド３０の表面に細かい装飾を施すこともでき、時計ケース２０や時計バンド３０の高精度仕上げを金型成形加工時に実現できるため、仕上げ作業を軽減できて生産効率を大幅に向上できる。
一方、金属ガラスは、粒界がないため、表面を研磨して仕上げる場合でも、研磨性を向上でき、粒界起因のうねりも無くすことができる。
以上のような特性を有する金属ガラスで時計ケース２０や時計バンド３０を製造することで、様々な特性に優れた時計ケース２０や時計バンド３０を提供できる。
【００４３】
［第２実施形態］
次に、第２実施形態の時計２について図３を参照して説明する。なお、第２実施形態の時計２において、第１実施形態の時計１と同じ構成には同一符号を付し、説明を省略する。
時計２は、時計ケース２０Ｂと、時計ケース２０Ｂに取り付けられる図示略の時計バンドとを備える。時計バンドは、第１実施形態の時計バンド３０と同じものが利用できるため、説明を省略する。
時計ケース２０Ｂは、略リング状に形成されたケース本体２１Ｂを備える。ケース本体２１Ｂは、第１実施形態のケース本体２１と同じく、弾性率が３０ＧＰａ以上１４０ＧＰａ以下、弾性限が２％以上２０％以下の金属ガラスで構成されている。
【００４４】
次に、時計ケース２０Ｂに設けられる操作ボタン６０の構造について説明する。操作ボタン６０は、ケース本体２１Ｂに一体に形成されるボタン部６１と、ボタン部６１に一体に形成されたボタン軸部６５とを備える。
ボタン部６１は、ケース本体２１Ｂと一体に形成され、かつ、可撓性を有する構造とされている。すなわち、ボタン部６１は、金属ガラス製のケース本体２１Ｂと一体に成形され、かつ、可撓性を持たせるために、ケース本体２１Ｂに比べて厚さ寸法が小さい薄肉状に形成されている。
ボタン部６１は、第１実施形態のボタン部４１と同様に、ケース本体２１Ｂの側面から突出する略円錐台状に形成され、ケース本体２１Ｂに連続する側面部６２と、側面部６２に連続する略円板状の上面部６３とを備える。このため、上面部６３を押すと、側面部６２が弾性変形し、上面部６３はケース本体２１Ｂの内部に向かって移動する。この上面部６３の厚さも側面部６２より厚くされてボタン部６１の剛性が増加するため、クリック感や操作感を明確に感じることができる。
【００４５】
ケース本体２１Ｂには、第１実施形態の凹部２１０と同様に、ケース本体２１Ｂの内周面から凹んだ凹部２１０Ｂが形成されている。
凹部２１０Ｂ内には、ボタン部６１に一体に形成されたボタン軸部６５が配置されている。ボタン軸部６５は、ボタン部６１の上面部６３に連続して形成され、上面部６３からケース本体２１Ｂの内部側、つまりムーブメント２５に向かって延長されている。このため、ボタン軸部６５は、ムーブメント２５に設けられるスイッチバネ２６Ｂに当接して設けられている。スイッチバネ２６Ｂは、スイッチバネ２６Ｂおよびムーブメント２５の地板や輪列受け等の樹脂部材との間に配置されたコイルバネ２８によって、ボタン軸部６５に当接する方向に付勢されている。このため、スイッチバネ２６Ｂは、常時、ボタン軸部６５に当接している。なお、スイッチバネ２６Ｂをボタン軸部６５側に付勢する構成は、スイッチバネ２６Ｂとは別体のコイルバネ２８に限らず、スイッチバネ２６Ｂ自体のバネ力を用いてもよい。
【００４６】
時計２の利用者が、時計ケース２０Ｂのボタン部６１を押すと、上面部６３およびボタン軸部６５は、ケース本体２１Ｂの内部側に移動する。このため、ボタン軸部６５に当接しているスイッチバネ２６Ｂもムーブメント２５側に移動し、ムーブメント２５に設けられた検出電極２７に接触し、時計２に設けられた制御装置は、ボタン部６１が押されたことを検出できる。
時計２の利用者によるボタン部６１を押す動作が解除されると、スイッチバネ２６Ｂおよびボタン軸部６５はコイルバネ２８によって時計ケース２０Ｂの外側に向かって付勢されて移動する。このため、スイッチバネ２６Ｂは検出電極２７から離れ、時計２の制御装置は、ボタン部６１の押し操作が解除されたことを検出できる。
また、ボタン軸部６５が時計ケース２０Ｂの外側に向かって移動すると、ボタン軸部６５と一体のボタン部６１の上面部６３も時計ケース２０Ｂの外側に移動し、ボタン部６１は、時計ケース２０Ｂから突出する元の状態に戻る。
【００４７】
［第２実施形態の効果］
時計ケース２０Ｂのケース本体２１Ｂに、可撓性を有するボタン部６１を一体に形成している。そして、ケース本体２１Ｂの内周面から凹んで形成される凹部２１０Ｂにボタン軸部６５が配置されているので、ボタン部６１から凹部２１０Ｂを介して水が浸入することを防止できるなど、第１実施形態と同じ効果を奏することができる。
さらに、第１実施形態のボタンユニット５０の代わりに、ボタン部６１に一体に形成されたボタン軸部６５を設けたので、部品数を少なくでき、コストも低減できる。
【００４８】
［第２実施形態の変形例］
第２実施形態の時計２において、図４に示すように、ボタン部６１に一体に形成されたボタン軸部６５をガイドするガイド部材６７を追加してもよい。ガイド部材６７は、板状に形成され、ケース本体２１Ｂの内周面に当接して取り付けられる。また、ガイド部材６７は、ボタン軸部６５の先端部が挿通されるガイド孔６７１を備える。
このようなガイド部材６７を備えていれば、ボタン軸部６５の先端部をガイド部材６７のガイド孔６７１で案内できるため、ボタン軸部６５の先端部がふらつくことを防止でき、スイッチバネ２６Ｂとの当接状態も安定して維持できる。
さらに、図４では、ムーブメント２５とスイッチバネ２６Ｂとの間にコイルバネ２８を配置していたが、ガイド部材６７と側面部６２との間、つまり凹部２１０Ｂ内にコイルバネを配置してもよい。
【００４９】
［第３実施形態］
次に、第３実施形態の時計３について図５を参照して説明する。なお、第３実施形態の時計３において、第１実施形態の時計１と同じ構成には同一符号を付し、説明を省略する。
時計３は、時計ケース２０Ｃと、時計ケース２０Ｃに取り付けられる図示略の時計バンドとを備える。時計バンドは、第１実施形態の時計バンド３０と同じものが利用できるため、説明を省略する。
時計ケース２０Ｃは、略リング状に形成されたケース本体２１Ｃを備える。ケース本体２１Ｃは、第１実施形態のケース本体２１と同じく、弾性率が３０ＧＰａ以上１４０ＧＰａ以下、弾性限が２％以上２０％以下の金属ガラスで構成されている。
【００５０】
図５に示すように、時計３は、第１実施形態の操作ボタン４０と同様に、ケース本体２１Ｃに一体に形成されるボタン部４１Ｃを有する操作ボタン４０Ｃを備える。そして、ボタン部４１Ｃは、前述した第１実施形態と同様に、ケース本体２１Ｃに連続する側面部４２Ｃと、側面部４２Ｃに連続する略円板状の上面部４３Ｃとを備える。
【００５１】
ケース本体２１Ｃには、第１実施形態の凹部２１０と同様に、ケース本体２１Ｃの内周面から凹んだ凹部２１０Ｃが形成されている。
そして、凹部２１０Ｃには、ムーブメント２５のスイッチバネ２６Ｃに一体に設けられたボタン軸部２６１Ｃが配置されている。本実施形態では、ボタン軸部２６１Ｃは、スイッチバネ２６Ｃから、ケース本体２１Ｃの外部側、つまりボタン部４１Ｃに向かって延設されている。そして、ボタン軸部２６１Ｃは、スイッチバネ２６Ｃを介して、コイルバネ２８に付勢されることで、常時、ボタン部４１Ｃの上面部４３Ｃに当接している。
【００５２】
時計３の利用者が、時計ケース２０Ｃのボタン部４１Ｃを押すと、上面部４３Ｃおよびボタン軸部２６１Ｃは、ケース本体２１Ｃの内部側に移動する。このため、ボタン軸部２６１Ｃに一体に設けられたスイッチバネ２６Ｃもムーブメント２５側に移動し、ムーブメント２５に設けられた検出電極２７に接触し、時計３に設けられた制御装置は、ボタン部４１Ｃが押されたことを検出できる。
時計３の利用者によるボタン部４１Ｃを押す動作が解除されると、スイッチバネ２６Ｃおよびボタン軸部２６１Ｃはコイルバネ２８によって時計ケース２０Ｃの外側に向かって付勢されて移動する。このため、スイッチバネ２６Ｃは検出電極２７から離れ、時計３の制御装置は、ボタン部４１Ｃの押し操作が解除されたことを検出できる。
また、ボタン軸部２６１Ｃが時計ケース２０Ｃの外側に向かって移動すると、ボタン軸部２６１Ｃおよび当該ボタン軸部２６１Ｃに当接するボタン部４１Ｃの上面部４３Ｃも時計ケース２０Ｃの外側に移動し、ボタン部４１Ｃは、時計ケース２０Ｃから突出する元の状態に戻る。
【００５３】
［第３実施形態の効果］
時計ケース２０Ｃのケース本体２１Ｃに、可撓性を有するボタン部４１Ｃを一体に形成している。そして、ケース本体２１Ｃの内周面から凹んで形成される凹部２１０Ｃに、ムーブメント２５に設けられたボタン軸部２６１Ｃが配置されているので、ボタン部４１Ｃから凹部２１０Ｃを介して水が浸入することを防止できるなど、第１、２実施形態と同じ効果を奏することができる。
さらに、第１実施形態のボタンユニット５０の代わりに、スイッチバネ２６Ｃにボタン軸部２６１Ｃを一体に設けたので、部品数を少なくでき、コストも低減できる。
【００５４】
［第４実施形態］
次に、第４実施形態の時計４について図６を参照して説明する。なお、第４実施形態の時計４において、第１実施形態の時計１と同じ構成には同一符号を付し、説明を省略する。
時計４は、時計ケース２０Ｄと、時計ケース２０Ｄに取り付けられる図示略の時計バンドとを備える。時計バンドは、第１実施形態の時計バンド３０と同じものが利用できるため、説明を省略する。
時計ケース２０Ｄは、略リング状に形成されたケース本体２１Ｄを備える。ケース本体２１Ｄは、第１実施形態のケース本体２１と同じく、弾性率が３０ＧＰａ以上１４０ＧＰａ以下、弾性限が２％以上２０％以下の金属ガラスで構成されている。
また。前述した第１実施形態と同様に、ケース本体２１Ｄには、内周面から凹んだ凹部２１０Ｄが形成されている。
【００５５】
図６に示すように、時計４は、第１実施形態の操作ボタン４０と同様に、ケース本体２１Ｄに一体に形成されるボタン部４１Ｄを有する操作ボタン４０Ｄを備える。そして、ボタン部４１Ｄは、前述した第１実施形態と同様に、ケース本体２１Ｄに連続する側面部４２Ｄと、側面部４２Ｄに連続する略円板状の上面部４３Ｄとを備える。
【００５６】
本実施形態では、ケース本体２１Ｄとムーブメント２５との間には、ムーブメント２５をケース本体２１Ｄに固定する中枠７０が配置されている。
中枠７０には、ケース本体２１Ｄ側とムーブメント２５側とを連通する連通部７１が形成されており、当該連通部７１には、ボタン軸部材８１と戻しバネ８２とが配置されている。なお、ボタン軸部材８１は、本開示のボタン軸部の一例である。
【００５７】
ボタン軸部材８１は、ガイド部８１１と、ガイド部８１１に比べて小径とされた軸部８１２とを備え、連通部７１内を軸方向に移動可能に配置されている。この際、ガイド部８１１は、連通部７１の内周面によってガイドされる。
また、ボタン軸部材８１はガイド部８１１が、凹部２１０Ｄ内に配置される。そして、ボタン軸部材８１は、凹部２１０Ｄ内において軸方向に移動可能とされている。
戻しバネ８２は、連通部７１内において、中枠７０の底面部７２と、ボタン軸部材８１のガイド部８１１との間に配置されたコイルバネで構成されている。戻しバネ８２は、中枠７０に対して、ボタン軸部材８１を、ボタン部４１Ｄの上面部４３Ｄに向かう方向に付勢している。このため、ボタン軸部材８１はボタン部４１Ｄの上面部４３Ｄに当接して設けられている。
【００５８】
ボタン軸部材８１の軸部８１２は、ムーブメント２５に設けられるスイッチバネ２６Ｄに対向して設けられている。また、ボタン部４１Ｄが押されていない状態では、ボタン軸部材８１は戻しバネ８２でボタン部４１Ｄ側に付勢され、軸部８１２およびスイッチバネ２６Ｄ間には所定寸法の隙間が設けられている。この隙間の寸法は、ボタン部４１Ｄを押した際にボタン軸部材８１が移動可能な移動量よりも小さく設定されている。
【００５９】
時計４の利用者が、時計ケース２０Ｄのボタン部４１Ｄを押すと、上面部４３Ｄに当接しているボタン軸部材８１に戻しバネ８２の付勢力よりも大きな力が加わり、ボタン軸部材８１はスイッチバネ２６Ｄに向かって移動する。そして、ボタン軸部材８１が前記隙間の寸法以上移動すると、軸部８１２がスイッチバネ２６Ｄに当接する。このため、スイッチバネ２６Ｄもムーブメント２５の内部側に移動し、ムーブメント２５に設けられた検出電極２７に接触し、時計４に設けられた制御装置は、ボタン部４１Ｄが押されたことを検出できる。
時計４の利用者によるボタン部４１Ｄを押す動作が解除されると、ボタン軸部材８１は戻しバネ８２の付勢力でスイッチバネ２６Ｄから離れる方向に移動する。このため、スイッチバネ２６Ｄは検出電極２７から離れ、時計４の制御装置は、ボタン部４１Ｄの押し操作が解除されたことを検出できる。
また、戻しバネ８２は、ボタン軸部材８１を介して、ボタン部４１Ｄの上面部４３Ｄを時計ケース２０Ｄの外側に移動させ、ボタン部４１Ｄは、時計ケース２０Ｄから突出する元の状態に戻る。
【００６０】
［第４実施形態の効果］
時計ケース２０Ｄのケース本体２１Ｄに、可撓性を有するボタン部４１Ｄを一体に形成している。そして、ケース本体２１Ｄの内周面から凹んで形成される凹部２１０Ｄに、ボタン軸部材８１が配置されているので、ボタン部４１Ｄから凹部２１０Ｄを介して水が浸入することを防止できるなど、第１〜第３実施形態と同じ効果を奏することができる。
さらに、中枠７０の連通部７１によってボタン軸部材８１をガイドするので、利用者は、ボタン部４１Ｄを押すことによって、スイッチバネ２６Ｄと検出電極２７とをより確実に接触させることができる。
【００６１】
［第５実施形態］
次に、第５実施形態の時計５について図７を参照して説明する。なお、第５実施形態の時計５において、第１実施形態の時計１と同じ構成には同一符号を付し、説明を省略する。
時計５は、時計ケース２０Ｅと、時計ケース２０Ｅに取り付けられる図示略の時計バンドとを備える。時計バンドは、第１実施形態の時計バンド３０と同じものが利用できるため、説明を省略する。
時計ケース２０Ｅは、略リング状に形成されたケース本体２１Ｅを備える。ケース本体２１Ｅは、第１実施形態のケース本体２１と同じく、弾性率が３０ＧＰａ以上１４０ＧＰａ以下、弾性限が２％以上２０％以下の金属ガラスで構成されている。
【００６２】
図７に示すように、本実施形態では、時計５は、操作ボタン９０を備える。
そして、操作ボタン９０は、ケース本体２１Ｅの外周面から凹んだ形状に一体で形成され、可撓性を有するボタン部９１を備える。
【００６３】
ボタン部９１は、ケース本体２１Ｅに連続する側面部９２と、側面部９２に連続し、スイッチバネ２６Ｅに対向して設けられる底面部９３とを備える。
そして、ボタン部９１が押されていない状態では、底面部９３およびスイッチバネ２６Ｅ間には所定寸法の隙間が設けられている。この隙間の寸法は、ボタン部９１を押した際に底面部９３が移動可能な移動量よりも小さく設定されている。
【００６４】
時計５の利用者が、ペンなどの棒状部材でボタン部９１を押すと、底面部９３はスイッチバネ２６Ｅに向かって移動する。そして、底面部９３が前記隙間の寸法以上移動すると、底面部９３がスイッチバネ２６Ｅに当接する。このため、スイッチバネ２６Ｅもムーブメント２５の内部側に移動し、ムーブメント２５に設けられた検出電極２７に接触し、時計５に設けられた制御装置は、ボタン部９１が押されたことを検出できる。
時計５の利用者によるボタン部９１を押す動作が解除されると、底面部９３は元の状態に戻る。これにより、スイッチバネ２６Ｅは検出電極２７から離れ、時計５の制御装置は、ボタン部９１の押し操作が解除されたことを検出できる。
【００６５】
［第５実施形態の効果］
時計５は、ケース本体２１Ｅの外周面から凹んだ形状に一体で形成され、可撓性を有するボタン部９１を備える。
これにより、操作ボタン９０は、指では簡単に操作できず、ペンなどの棒状部材で押す必要があるため、リセットボタンなど誤操作されにくいボタンを設定する場合に有効である。
【００６６】
［第６実施形態］
次に、第６実施形態の時計６について図８を参照して説明する。なお、第６実施形態の時計６において、第１実施形態の時計１と同じ構成には同一符号を付し、説明を省略する。
時計６は、時計ケース２０Ｆと、時計ケース２０Ｆに取り付けられる図示略の時計バンドとを備える。時計バンドは、第１実施形態の時計バンド３０と同じものが利用できるため、説明を省略する。
時計ケース２０Ｆは、略リング状に形成されたケース本体２１Ｆを備える。ケース本体２１Ｆは、第１実施形態のケース本体２１と同じく、弾性率が３０ＧＰａ以上１４０ＧＰａ以下、弾性限が２％以上２０％以下の金属ガラスで構成されている。
また。前述した第１実施形態と同様に、ケース本体２１Ｆには、内周面から凹んだ凹部２１０Ｆが形成されている。
【００６７】
図８に示すように、時計６は、ケース本体２１Ｆに一体に形成されるダイアフラム部１００を備える。ダイアフラム部１００は、ケース本体２１Ｆに比べて厚さ寸法が小さい薄肉状に形成されている。これにより、ダイアフラム部１００は気圧、つまり圧力によって変形可能に構成されている。
【００６８】
凹部２１０Ｆには、気圧センサー１０１が配置されている。そして、気圧センサー１０１の検出部１０２は、ダイアフラム部１００に接触している。これにより、検出部１０２は、ダイアフラム部１００に作用する気圧、つまり圧力を検出可能に構成されている。
【００６９】
［第６実施形態の作用効果］
時計６は、ケース本体２１Ｆと一体で形成され作用する圧力に応じて変形するダイアフラム部１００を備える。そして、時計６は、ダイアフラム部１００に作用する圧力を検出する検出部１０２を有する気圧センサー１０１を備える。
そのため、気圧センサー１０１を備える時計６において、気圧センサー１０１とケース本体２１Ｆとの間の隙間等を介して水が浸入することを防止できる。
【００７０】
［他の実施形態］
なお、本発明は前述の実施形態に限定されるものではなく、本発明の目的を達成できる範囲での変形、改良等は本発明に含まれるものである。
前記各実施形態では、時計バンド３０は、時計ケース２０、２０Ｂ、２０Ｃ、２０Ｄ、２０Ｅ、２０Ｆと別体で構成されていたが、図９に示す時計７のように、時計ケース２０Ｇと時計バンド３０Ｇとを一体に形成してもよい。時計ケース２０Ｇは、略リング状のケース本体２１Ｇを備え、時計バンド３０Ｇは第１バンド３１Ｇおよび第２バンド３２Ｇを備える。これらのケース本体２１Ｇ、第１バンド３１Ｇ、第２バンド３２Ｇは、金属ガラスで一体に形成されている。なお、ケース本体２１Ｇと、第１バンド３１Ｇおよび第２バンド３２Ｇとを、一体で形成する場合、弾性率が３０ＧＰａ以上７０ＧＰａ以下の金属ガラスで構成することが好ましい。弾性率が７０ＧＰａを上回ると、時計バンド３０Ｇが弾性変形しにくくなり、時計バンド３０Ｇを手首に沿って装着させた際の装着感が低下するためである。
時計７は、第１実施形態と同じ構成の操作ボタン４０を備える。このため、第１実施形態と同じ作用効果を奏することができる。さらに、ケース本体２１Ｇおよび操作ボタン４０だけでなく、時計バンド３０Ｇも金属ガラスで一体に形成されるため、時計７の強度および意匠性を向上できる。
なお、時計７において、操作ボタン４０の代わりに、図３、４に示す操作ボタン６０を設けても良い。また、時計７において、図５に示す操作ボタン４０Ｃや、図６に示す操作ボタン４０Ｄや、図７に示す操作ボタン９０を設けても良い。さらに、時計７において、図８に示すダイアフラム部１００および気圧センサー１０１を設けても良い。
【００７１】
ケース本体２１、２１Ｂ、２１Ｃ、２１Ｄ、２１Ｅに一体に形成される操作ボタン４０、４０Ｃ、４０Ｄ、６０、９０は、ケース本体２１、２１Ｂ、２１Ｃ、２１Ｄ、２１Ｅの側面に設けられた、いわゆるサイドボタンに限定されず、ケース本体２１、２１Ｂ、２１Ｃ、２１Ｄ、２１Ｅの表側に設けられる、いわゆるフロントボタンにも利用できる。
【００７２】
凹部２１０内に配置されるボタンユニット５０の構成は、第１実施形態のものに限定されない。例えば、ボタンユニット５０としては、ガイドパイプ５１および戻しバネ５３を備えずに、凹部２１０内に軸方向に移動可能に挿入されるボタン軸部材５２のみで構成してもよい。この場合、第２実施形態と同様に、スイッチバネ２６をボタン軸部材５２に当接させるコイルバネ２８等を設け、スイッチバネ２６を介してボタン軸部材５２をボタン部４１側に付勢すればよい。
また、第４実施形態の時計４において、連通部７１に戻しバネ８２が配置されていなくても良い。この場合、スイッチバネ２６Ｄをボタン軸部材８１に当接させ、コイルバネ２８の付勢力によってボタン軸部材８１をボタン部４１Ｄ側に付勢しても良い。
【００７３】
前記操作ボタン４０、４０Ｃ、４０Ｄ、６０、９０を用いた時計１、２、３、４、５は、防水性能を向上できるため、特にダイバーズウォッチのような防水性が必要な時計に適している。また、防水性を向上させるために、時計ケース２０、２０Ｂ、２０Ｃ、２０Ｄ、２０Ｅと、裏蓋２４とを金属ガラスで一体に形成したワンピースタイプの時計ケースを採用してもよい。ワンピースタイプの時計ケースを採用すれば、防水性能をさらに向上でき、ケース本体と裏蓋との接続部分の段差も無くすことができるため、手首に装着した際のフィット感を向上できる。
さらに、防水性を向上させるために、りゅうずを備えない時計を構成してもよい。りゅうずは時計ケースを貫通して配置されるため、時計全体の防水性能に影響する。このため、りゅうずを無くし、操作ボタン４０、４０Ｃ、４０Ｄ、６０、９０のみを設けた時計を構成すれば、時計全体の防水性能を向上できる。なお、一般的な時計では、りゅうずによって指針の修正操作を行うが、水晶式ムーブメントを用いた電子時計であれば、ボタン操作のみでモーターを動かすことで指針の位置を調整できるため、りゅうずを備えない時計を容易に実現できる。
【００７４】
時計１、２、３、４、５、６、７において、文字板２２をケース本体２１、２１Ｂ、２１Ｃ、２１Ｄ、２１Ｅ、２１Ｆ、２１Ｇと一体で形成してもよい。ケース本体２１、２１Ｂ、２１Ｃ、２１Ｄ、２１Ｅ、２１Ｆ、２１Ｇと文字板２２とを一体で形成すれば、時計ケース２０、２０Ｂ、２０Ｃ、２０Ｄ、２０Ｅ、２０Ｆ、２０Ｇの剛性を向上できる。さらに、文字板２２に、文字板の構成要素である時字、ロゴ、目盛等を一体に形成することもでき、意匠性を向上できる。
【００７５】
時計ケース２０、２０Ｂ、２０Ｃ、２０Ｄ、２０Ｅ、２０Ｆ、２０Ｇや時計バンド３０、３０Ｇの製造方法としては、金属ガラスを材料とする製造方法であればよく、製造する製品の構造などに応じて適切な製造方法を採用すれば良い。
また、時計ケース２０、２０Ｂ、２０Ｃ、２０Ｄ、２０Ｅ、２０Ｆ、２０Ｇと別体の時計バンド３０は、金属ガラスで構成されたものに限定されない。例えば、複数の金属駒を連結する金属駒タイプのバンドでもよいし、革バンドや樹脂バンドでもよい。
【００７６】
前記操作ボタン４０、４０Ｃ、４０Ｄ、６０、９０を用いた時計１、２、３、４、５は、時刻を表示する機能に加えて他の機能を備えるものでもよい。例えば、温度、湿度、気圧、紫外線、光等を測定する環境センサーを備え、これらの環境センサーの計測値を、指針やデジタル表示装置で指示できる機能を備えるものでもよい。また、時計１、２、３、４、５を装着した装着者の体の動きや、体温、血圧、心拍数などを測定するセンサーを備え、これらのセンサーの計測値を、指針やデジタル表示装置で指示できる機能を備えるものでもよい。さらに、スマートフォンなどの他のデバイスとの通信機能を備え、通信状態や通信内容を指針やデジタル表示装置で指示できる機能を備えるものでもよい。
【符号の説明】
【００７７】
１、２、３、４、５、６、７…時計、１０…時計用外装部品、２０、２０Ｂ、２０Ｃ、２０Ｄ、２０Ｅ、２０Ｆ、２０Ｇ…時計ケース、２１、２１Ｂ、２１Ｃ、２１Ｄ、２１Ｅ、２１Ｆ、２１Ｇ…ケース本体、２２…文字板、２３…カバーガラス、２４…裏蓋、２５…ムーブメント、２６、２６Ｂ、２６Ｃ、２６Ｄ、２６Ｅ…スイッチバネ、２６１Ｃ…ボタン軸部、２７…検出電極、２８…コイルバネ、２９…カン、３０、３０Ｇ…時計バンド、３１、３１Ｇ…第１バンド、３２、３２Ｇ…第２バンド、４０、４０Ｃ、４０Ｄ…操作ボタン、４１、４１Ｃ、４１Ｄ…ボタン部、４２、４２Ｃ、４２Ｄ…側面部、４３、４３Ｃ、４３Ｄ…上面部、５０…ボタンユニット、５１…ガイドパイプ、５２…ボタン軸部材、５３…戻しバネ、６０…操作ボタン、６１…ボタン部、６２…側面部、６３…上面部、６５…ボタン軸部、６７…ガイド部材、７０…中枠、７１…連通部、７２…底面部、８１…ボタン軸部材、８２…戻しバネ、９０…操作ボタン、９１…ボタン部、９２…側面部、９３…底面部、１００…ダイアフラム部、１０１…気圧センサー、１０２…検出部、２１０、２１０Ｂ、２１０Ｃ、２１０Ｄ、２１０Ｆ…凹部、３１１…基端部、３１２…先端部、３１３…中間部、３２１…基端部、３２２…先端部、３２３…中間部、５１１…側面部、５１２…底面部、５１３…貫通孔、５２１…ガイド部、５２２…軸部、６７１…ガイド孔、８１１…ガイド部、８１２…軸部。
【図１】
2020064039.tif 000003
【図２】
2020064039.tif 000004
【図３】
2020064039.tif 000005
【図４】
2020064039.tif 000006
【図５】
2020064039.tif 000007
【図６】
2020064039.tif 000008
【図７】
2020064039.tif 000009
【図８】
2020064039.tif 000010
【図９】
2020064039.tif 000011